【事件の表示】
　特許第６４８１５０５号発明「電力変換装置」の特許異議申立事件について、次のとおり決定する。
【結　論】
　特許第６４８１５０５号の特許請求の範囲を訂正請求書に添付された訂正特許請求の範囲のとおり訂正後の請求項〔１、４、５〕、６、７について訂正することを認める。
　特許第６４８１５０５号の請求項１に係る特許を取り消す。
　同請求項４、５、６、７に係る特許を維持する。
【理　由】
第１　手続の経緯
　特許第６４８１５０５号の請求項１ないし５に係る特許についての出願は、平成２７年５月１９日に出願され、平成３１年２月２２日にその特許権の設定登録がされ、平成３１年３月１３日に特許掲載公報が発行された。その特許についての本件特許異議の申立ての経緯は、次のとおりである。
　令和１年　９月　２日　　　：特許異議申立人　新井　誠一　による請求　　　　　　　　　　　　　　　項１及び４に対する特許異議の申立て
　令和１年１１月２１日付け　：取消理由通知書
　令和２年　１月２１日　　　：特許権者による意見書の提出
　令和２年　２月１４日付け　：取消理由通知書（決定の予告）
　令和２年　４月１７日　　　：特許権者による意見書の提出及び訂正請求
　令和２年　７月　３日　　　：特許異議申立人による意見書の提出
第２　訂正の適否についての判断
１　訂正の趣旨及び内容
　令和２年４月１７日の訂正請求（以下、「本件訂正請求」という。）は、特許第６４８１５０５号の特許請求の範囲を、訂正請求書に添付した訂正特許請求の範囲のとおり、訂正後の請求項１、４、５、６及び７について訂正することを求めるものであり、その訂正の内容は、以下の訂正事項のとおりである（なお、下線は訂正部分を示す。）。
（１）訂正事項１
　特許請求の範囲の請求項１に
「前記第１導通部材及び前記第２導通部材は、それぞれの前記交差部が互いに離間するように、少なくともいずれか一方が屈曲していることを特徴とする」
　と記載されているのを、
「前記第１導通部材及び前記第２導通部材は、それぞれの前記交差部が互いに離間するように、少なくともいずれか一方が
前記第１電力変換モジュールと前記第２電力変換モジュールとの間で
（２）訂正事項２
　特許請求の範囲の請求項４に「前記第１電力変換モジュール及び前記第２電力変換モジュールは冷却器上に配置され、前記第１導通部材及び前記第２導通部材は、前記第１電力変換モジュールと前記第２電力変換モジュールとの間で前記冷却器に近接または接触していることを特徴とする請求項１ないし３のいずれか１項に記載の電力変換装置。」とあるうち請求項１を引用するものについて、独立形式に改め新たに請求項６とする。これに伴い、特許請求の範囲の請求項４に「請求項１ないし３のいずれか１項に記載の電力変換装置。」と記載されているのを、「請求項
２又は３
（３）訂正事項３
　特許請求の範囲の請求項５に「前記第１導通部材及び前記第２導通部材のそれぞれの前記交差部は、電流が互いに逆方向に向けて流れるように交差していることを特徴とする請求項１ないし４のいずれか１項に記載の電力変換装置。」とあるうち請求項１を引用するものについて、独立形式に改め新たに請求項７とする。これに伴い、特許請求の範囲の請求項５に「請求項１ないし４のいずれか１項に記載の電力変換装置。」と記載されているのを、「請求項
２
２　訂正要件についての判断
（１）一群の請求項について
　訂正前の請求項１、４及び５について、請求項４及び５は請求項１を引用しているものであって、訂正事項１によって記載が訂正される請求項１に連動して訂正されるものである。したがって、訂正前の請求項１、４及び５に対応する訂正後の請求項１、６及び７は、特許法第１２０条の５第４項に規定する一群の請求項である。
（２）訂正の目的の適否、新規事項の有無、及び特許請求の範囲の拡張・変更の存否
ア　訂正事項１について　
　訂正事項１は、訂正前の請求項１の「前記第１導通部材及び前記第２導通部材」の「少なくともいずれか一方が屈曲している」ことを、「少なくともいずれか一方が
前記第１電力変換モジュールと前記第２電力変換モジュールとの間で
　そして、本件特許の願書に添付した明細書（以下、単に「本件特許明細書」という。）の段落【００２５】には、「
正極同士を接続する第１バスバー４５と、負極同士を接続する第２バスバー４７とが、第１電力変換モジュール１と第２電力変換モジュール３との間で、交差部４５ｇ，４７ｇにより互いに交差している
交差部は、縦壁部を有する
第１バスバー４５及び第２バスバー４７は、互いに交差する交差部４５ｇ，４７ｇが互いに離間するように、縦壁部により屈曲している
　さらに、訂正事項１は実質上特許請求の範囲を拡張し、又は変更するものに該当せず、特許法第１２０条の５第９項で準用する同法第１２６条第６項に適合するものである。
　
イ　訂正事項２について　
　訂正事項２は、訂正前の請求項４が請求項１ないし３いずれか１項の記載を引用する記載であったところ、請求項１を引用しないものとして引用する請求項の数を減少させた上で、請求項１を引用するものについて請求項間の引用関係を解消して、独立形式請求項へ改めるための訂正であるから、特許法第１２０条の５第２項ただし書第１号に掲げる「特許請求の範囲の減縮」を目的とするもの、および第４号に掲げる「他の請求項の記載を引用する請求項の記載を当該他の請求項の記載を引用しないものとすること」を目的とするものである。そして、願書に添付した明細書、特許請求の範囲又は図面に記載した事項の範囲内の訂正であり、実質上特許請求の範囲を拡張し、又は変更するものでもなく、特許法第１２０条の５第９項で準用する同法第１２６条第５項及び第６項の規定に適合する。
　また、訂正前の請求項４のうち請求項１を引用するものに特許異議の申立がされているところ、訂正後の請求項４に関する訂正は、訂正前の請求項４が引用する請求項のうち請求項１を引用しないものとしたものであり、特許異議の申立てがされていなかった請求項のみとして、特許請求の範囲の減縮を目的とするものであるから、独立特許要件が課されるものである。
　しかしながら、下記「第４　４　独立特許要件について」で後述するように、訂正後の請求項４に係る発明については特許法第２９条第２項の規定により特許を受けることができないものではない。また、他に請求項４に係る発明が、特許出願の際独立して特許を受けることができないとする理由を発見しない。
　したがって、訂正後の請求項４に係る発明は、訂正の要件としての独立特許要件を満たしている。
　さらに、訂正後の請求項６は、下記「第３　１　異議申立の対象請求項について」で後述するように、訂正前の請求項４のうち、請求項１を引用する部分（異議申立あり）を新たな請求項としたものであり異議申立された請求項であるから、独立特許要件は課されない。
ウ　訂正事項３について
　訂正事項３は、訂正前の請求項５が請求項１ないし４いずれか１項の記載を引用する記載であったところ、請求項１を引用しないものとして引用する請求項の数を減少させたた上で、請求項１を引用するものについて請求項間の引用関係を解消して、独立形式請求項へ改めるための訂正であるから、特許法第１２０条の５第２項ただし書第１号に掲げる「特許請求の範囲の減縮」を目的とするもの、および第４号に掲げる「他の請求項の記載を引用する請求項の記載を当該他の請求項の記載を引用しないものとすること」を目的とするものである。そして、願書に添付した明細書、特許請求の範囲又は図面に記載した事項の範囲内の訂正であり、実質上特許請求の範囲を拡張し、又は変更するものでもなく、特許法第１２０条の５第９項で準用する同法第１２６条第５項及び第６項の規定に適合する。
　ここで、訂正前の請求項５には特許異議の申立がされておらず、さらに、訂正後の請求項５、７に関する訂正は、特許請求の範囲を減縮することを目的とするものであり独立特許要件が課されるものである。
　しかしながら、下記「第４ ４ 独立特許要件について」で後述するように、訂正後の請求項５、７に係る発明については特許法第２９条第２項の規定により特許を受けることができないものではない。また、他に請求項５、７に係る発明が、特許出願の際独立して特許を受けることができないとする理由を発見しない。
　したがって、訂正後の請求項５、７に係る発明は、訂正の要件としての独立特許要件を満たしている。
３　むすび
　以上のとおりであるから、本件訂正請求による訂正は、特許法第１２０条の５第２項ただし書第１号および第４号に掲げる事項を目的とするものであり、かつ、同条第４項、及び同条第９項において準用する同法第１２６条第５項ないし第７項の規定に適合する。そして、特許権者から、訂正後の請求項６及び７について訂正が認められる場合には、一群の請求項の他の請求項とは別の訂正単位として扱われることの求めがあったことから、訂正後の請求項〔１、４、５〕、６、７について一群の請求項ごとに訂正することを認める。
　
第３　本件特許発明
１　異議申立の対象請求項について
　本件では訂正前の請求項１、及び請求項４のうち請求項１を引用するものについて特許異議の申立がされている。
　その後になされた本件訂正請求について、上記第２で判断したとおり、訂正は全て認められるところ、訂正後の請求項１ないし７に係る発明と、訂正前の請求項１ないし５に係る発明との対応関係は、以下のとおりである。
（１）訂正後の請求項１：　訂正前の請求項１を減縮した。
（２）訂正後の請求項２：　訂正前の請求項２。
（３）訂正後の請求項３：　訂正前の請求項３。
（４）訂正後の請求項４：　訂正前の請求項４のうち、請求項２、３を引用する部分（異議申立なし）を、新たな請求項とした。
（５）訂正後の請求項５：　訂正前の請求項５のうち、請求項２ないし４を引用する部分を、新たな請求項とした。
（６）訂正後の請求項６：　訂正前の請求項４のうち、請求項１を引用する部分を、新たな請求項とした。
（７）訂正後の請求項７：　訂正前の請求項５のうち、請求項１を引用する部分を、新たな請求項とした。
　上記訂正前後の請求項の対応関係から、本件訂正後の請求項１、６に係る発明は、異議申立がされた訂正前の請求項１及び４に係る発明を減縮するか、その一部を新たな請求項としたものであり、異議申立がされていないと扱うべき事情のない請求項である。
２　本件特許発明
　本件訂正請求により訂正された請求項１、４ないし７に係る発明（以下、それぞれ「本件特許発明１」、「本件特許発明４」ないし「本件特許発明７」という。）は、その特許請求の範囲の請求項１、４ないし７に記載された事項により特定される次のとおりのものである。
「【請求項１】
　第１電力変換モジュールと、
　前記第１電力変換モジュールに対し離間した状態で並列配置される第２電力変換モジュールと、
　前記第１電力変換モジュールの前記第２電力変換モジュールに近接した位置に並べて設けられ、互いに異極となる第１電極端子及び第２電極端子と、
　前記第２電力変換モジュールの前記第１電力変換モジュールに近接した位置に並べて設けられ、互いに異極となる第３電極端子及び第４電極端子と、
　前記第１電極端子と当該第１電極端子に対して同極となる前記第３電極端子とを接続する第１導通部材と、
　前記第２電極端子と当該第２電極端子に対して同極となる前記第４電極端子とを接続する第２導通部材と、を有し、
　前記第１導通部材及び前記第２導通部材は、前記第１電力変換モジュールと前記第２電力変換モジュールとの間で互いに交差する交差部をそれぞれ備え、
　前記第１導通部材及び前記第２導通部材は、それぞれの前記交差部が互いに離間するように、少なくともいずれか一方が前記第１電力変換モジュールと前記第２電力変換モジュールとの間で屈曲していることを特徴とする電力変換装置。
【請求項４】
　前記第１電力変換モジュール及び前記第２電力変換モジュールは冷却器上に配置され、
　前記第１導通部材及び前記第２導通部材は、前記第１電力変換モジュールと前記第２電力変換モジュールとの間で前記冷却器に近接または接触していることを特徴とする請求項２又は３に記載の電力変換装置。
【請求項５】
　前記第１導通部材及び前記第２導通部材のそれぞれの前記交差部は、電流が互いに逆方向に向けて流れるように交差していることを特徴とする請求項２ないし４のいずれか１項に記載の電力変換装置。
【請求項６】
　第１電力変換モジュールと、
　前記第１電力変換モジュールに対し離間した状態で並列配置される第２電力変換モジュールと、
　前記第１電力変換モジュールの前記第２電力変換モジュールに近接した位置に並べて設けられ、互いに異極となる第１電極端子及び第２電極端子と、
　前記第２電力変換モジュールの前記第１電力変換モジュールに近接した位置に並べて設けられ、互いに異極となる第３電極端子及び第４電極端子と、
　前記第１電極端子と当該第１電極端子に対して同極となる前記第３電極端子とを接続する第１導通部材と、
　前記第２電極端子と当該第２電極端子に対して同極となる前記第４電極端子とを接続する第２導通部材と、を有し、
　前記第１導通部材及び前記第２導通部材は、前記第１電力変換モジュールと前記第２電力変換モジュールとの間で互いに交差する交差部をそれぞれ備え、
　前記第１導通部材及び前記第２導通部材は、それぞれの前記交差部が互いに離間するように、少なくともいずれか一方が屈曲し、
　前記第１電力変換モジュール及び前記第２電力変換モジュールは冷却器上に配置され、
　前記第１導通部材及び前記第２導通部材は、前記第１電力変換モジュールと前記第２電力変換モジュールとの間で前記冷却器に近接または接触していることを特徴とする電力変換装置。
【請求項７】
　第１電力変換モジュールと、
　前記第１電力変換モジュールに対し離間した状態で並列配置される第２電力変換モジュールと、
　前記第１電力変換モジュールの前記第２電力変換モジュールに近接した位置に並べて設けられ、互いに異極となる第１電極端子及び第２電極端子と、
　前記第２電力変換モジュールの前記第１電力変換モジュールに近接した位置に並べて設けられ、互いに異極となる第３電極端子及び第４電極端子と、
　前記第１電極端子と当該第１電極端子に対して同極となる前記第３電極端子とを接続する第１導通部材と、
　前記第２電極端子と当該第２電極端子に対して同極となる前記第４電極端子とを接続する第２導通部材と、を有し、
　前記第１導通部材及び前記第２導通部材は、前記第１電力変換モジュールと前記第２電力変換モジュールとの間で互いに交差する交差部をそれぞれ備え、
　前記第１導通部材及び前記第２導通部材は、それぞれの前記交差部が互いに離間するように、少なくともいずれか一方が屈曲し、
　前記第１導通部材及び前記第２導通部材のそれぞれの前記交差部は、電流が互いに逆方向に向けて流れるように交差していることを特徴とする電力変換装置。」
第４　当審の判断
１　取消理由の概要
　令和２年２月１４日付けで通知した取消理由（決定の予告）の概要は、以下のとおりである。
理由１）
　請求項１に係る発明は、本件特許出願前に日本国内又は外国において、頒布された引用文献１に記載された発明又は電気通信回線を通じて公衆に利用可能となった発明であって、特許法第２９条第１項第３号に該当するから、請求項１に係る特許は、特許法第２９条第１項の規定に違反してされたものである。
理由２）
　請求項１に係る発明は、本件特許出願前に日本国内又は外国において、頒布された下記の引用文献１乃至３に記載された発明又は電気通信回線を通じて公衆に利用可能となった発明に基いて、本件特許出願前にその発明の属する技術の分野における通常の知識を有する者が容易に発明をすることができたものであるから、請求項１に係る特許は、特許法第２９条第２項の規定に違反してされたものである。
引用文献１：特開２００７−６５６５号公報（甲第１号証）
引用文献２：特開２００５−１９２３１１号公報（甲第３号証）
引用文献３：国際公開第２００７／０９４１６２号（甲第４号証）
２　取消理由の判断　
（１）引用文献の記載事項
（１−１）引用文献１の記載事項
　取消理由で通知した引用文献１には、以下の事項が記載されている。
ア　「【０００９】
　以下、本発明によるエレベータ駆動装置の実施例を図面を用いて説明する。
【００１０】
　図１は、本発明の一実施例である
電力変換装置
各モジュール上面の周縁に直流端子Ｐ，Ｎが設けられるが、本実施例においては、各モジュールは略直方体状でありモジュール上面が矩形状であるため、直流端子Ｐ，Ｎは上面の一辺に沿って設けられる
コンバータモジュール２０００の直流端子とインバータモジュール２００１の直流端子とが互いに対向して隣接するように配置される
各モジュール
平滑コンデンサ３０００〜３００３は
配線によって互いに接続される
イ　「【００１２】
　図２は、本発明の他の実施例である電力変換装置の外観を示す。本実施例では、
図１とは異なり
コンバータモジュール２０００とインバータモジュール２００１が鉛直方向に沿って上下に配置され、更に平滑コンデンサ３０００〜３００３が各モジュール及び冷却フィンの横方向すなわち左側あるいは右側に配置される
他の構成は、図１と同様である
ウ　「【００１７】
　
図４は、図２の実施例において図３の回路構成を適用した電力変換装置
図２の実施例に比べて平滑コンデンサの個数が半減される
エ　「【００２１】
　
図７は
図４の実施例において、コンバータモジュール，インバータモジュール及び平滑コンデンサ間の配線を細長い配線バーとし、直流正極側（Ｐ側）の配線バー５０００と直流負極側（Ｎ側）の配線バー５００１の少なくとも一部分が積層されるようにしたものである。本実施例によれば、平滑コンデンサが、互いに対向するモジュール側面間の空間の外部に配置されているが、積層された配線バーにより、配線インダクタンスを低減できるので、半導体スイッチング素子のオン／オフ時に発生する過電圧を抑制することができる
オ　「【図１】
        　　　　　　　　　　　　　　　　　　　　　　　　　　」
カ　「【図２】
　　　　　　　　　　　　　　　　　　　　　　　　　　　　　　　　　　                                                              」
キ　「【図４】
　　　　　　　　　　　　　　　　　　　　　　　　　　　　　　」
ク　「【図７】
　　　　　　　　　　　　　　　　　　　　　　　　　　　　　　」
・上記ア及び図１（上記オ）には、電力変換装置がコンバータモジュール２０００、インバータモジュール２００１、及び平滑コンデンサ３０００〜３００３からなること、また、各モジュールは略直方体状でありモジュール上面が矩形状であるため、直流端子Ｐ，Ｎはモジュール上面の一辺に沿って設けられること、さらに、コンバータモジュール２０００の直流端子とインバータモジュール２００１の直流端子では異極の端子同士が互いに対向して配置されることが記載されている。
・上記イ及び図２（上記カ）には、他の実施例として、図１とは異なり、コンバータモジュール２０００とインバータモジュール２００１が鉛直方向に沿って上下に配置し、更に平滑コンデンサ３０００〜３００３が各モジュール及び冷却フィンの横方向すなわち左側あるいは右側に配置すること、また、他の構成は、図１と同様であることが記載されている。
・さらに、上記ウ及び図４（上記キ）には、図４は、図２の実施例において図３の回路構成を適用した電力変換装置であって、平滑コンデンサの個数が半減されることが記載されている。
　また、図４より、コンバータモジュール２０００の直流端子とインバータモジュール２００１の直流端子では異極の端子同士が互いに対向して配置されていること、さらに、コンバータモジュール２０００およびインバータモジュール２００１の直流端子Ｐと平滑コンデンサ３０００、３００１の一方の端子が配線され、また、コンバータモジュール２０００およびインバータモジュール２００１の直流端子Ｎと平滑コンデンサ３０００、３００１の他方の端子が配線されることが看取できる。
・そして、上記エには、図７（上記ク）の実施例は、図４の実施例において、コンバータモジュール、インバータモジュール及び平滑コンデンサ間の配線を細長い配線バーとし、直流正極側（Ｐ側）の配線バー５０００と直流負極側（Ｎ側）の配線バー５００１の少なくとも一部分が積層されるようにしたものであることが記載されている。
　また、配線バー５０００と配線バー５００１は積層される部分では、短絡してしまうことから離間していることは明らかである。さらに、図７の下図からも、配線バー５０００と配線バー５００１は、各々、各モジュールの上面に平行な離間する面を有していることが看取できる。
　そして、図７の下図によれば、各モジュールの端子及びコンデンサの端子と配線バー５０００及び配線バー５００１との接続箇所では他の部分に比べて線が重なり太い線として描かれていること、この接続箇所と配線バー５０００及び配線バー５００１の各モジュールの上面に平行な面とは屈曲により接続されていること、さらに、配線バー５０００及び配線バー５００１の屈曲後の長さは平行な面を離間させるために異なっていることが看取できる。
　さらに、図７の下図と上図を比較すると、図７の下図において各配線バー５０００、５００１の平行な面からコンデンサの端子との接続箇所に向かって伸びる部分の屈曲部は、図７の上図において実線として描かれていることが看取できる。そうすると、各配線バーの平行な面から各モジュールの各端子との接合箇所に向かって伸びる部分については、図７の上図において、各配線バーが重なっている部分と各モジュールの各端子に向かって伸びる部分の接合部が実線として描かれているから、この接合部において各配線バーは屈曲しているものと認められる。また、この接合部は、コンバータモジュールとインバータモジュールの間であることが看取できる。
　したがって、引用文献１には、直流正極側（Ｐ側）の配線バー５０００と直流負極側（Ｎ側）の配線バー５００１はコンバータモジュール２０００とインバータモジュール２００１の間で屈曲によって離間されることが記載されているといえる。
　してみると、図７の実施例のものに着目して、上記記載事項及び図面を勘案すると引用文献１には次の発明（以下、「引用発明」という。）が記載されている。
　
「コンバータモジュール２０００、インバータモジュール２００１、及び平滑コンデンサ３０００、３００１からなる電力変換装置において、コンバータモジュール２０００とインバータモジュール２００１が鉛直方向に沿って上下に配置され、更に平滑コンデンサ３０００、３００１が各モジュールの横方向に配置され、
　各モジュールは略直方体状でありモジュール上面が矩形状であるため、直流端子Ｐ、Ｎはモジュール上面の一辺に沿って設けられ、また、コンバータモジュール２０００の直流端子とインバータモジュール２００１の直流端子では異極の端子同士が互いに対向して配置され、
　コンバータモジュール２０００およびインバータモジュール２００１の直流端子Ｐと平滑コンデンサ３０００、３００１の一方の端子が配線され、また、コンバータモジュール２０００およびインバータモジュール２００１の直流端子Ｎと平滑コンデンサ３０００、３００１の他方の端子が配線され、
　コンバータモジュール２０００、インバータモジュール２００１及び平滑コンデンサ３０００、３００１間の上記配線を細長い配線バー５０００、５００１とし、直流正極側（Ｐ側）の配線バー５０００と直流負極側（Ｎ側）の配線バー５００１の少なくとも一部分が積層されており、また、配線バー５０００と配線バー５００１がコンバータモジュール２０００とインバータモジュール２００１の間で屈曲により離間している、
　電力変換装置。」　
（１−２）引用文献２、３の記載事項
ア　取消理由で通知した引用文献２には、以下の事項が記載されている。
「【００４９】
　図４を参照して、バスバー整列部１９５では、モータジェネレータの形態（すなわち、上記接続端子の配置順）に合わせた配列順序とするために、
バスバー１６１〜１６３，１７１〜１７３を適宜屈曲させたり、交差させたりすることが必要となる
「【図４】
　　　　　　　　　　　　　　　　　　　　　　　　　　　」
イ　引用文献３の記載事項
　取消理由で通知した引用文献３には、以下の事項が記載されている。
「[0014]　図7は第４実施例の構成を示す図である。板状の導体131a,131b, 131cバスバ一の間に薄板状の132b,132c絶縁体を挿入し、131a,131cバスバーの外面に132a,132d絶縁体を配置して積層したものである。13lbバスバーを直線状に形成し、131a,131cバスバーは131bバスバーの経路で平行に重なり合うように形成している。図８は130積層バスバーを上面から透視した図である。133a,133b,133c内部端子、134a,134b,134c内部端子は互いに重なり合わない位置に形成し、131bバスバーの経路に13la,131cバスバーの経路を重ね合わせた135領域Ａでバスバー同士は隣接する形状を形成している。バスバー同士が隣接する領域を狭くすることで、バスバーと絶縁体を小型化することができる。バスバーと絶縁体を小型化すれば材料の節約になるだけでなぐ別の部品を近接させて実装できる等、装置を小型化することもできる。」
「［図７］
　　　　　　　　　」
　引用文献２、３には、以下の技術事項が記載されていると認められる。
「端子間を接続する導通部材同士が接触しないように離間するために、少なくともいずれか一方の導通部材を屈曲させること。」
（２）　対比・判断
（２−１）理由１）について（特許法２９条第１項第３号）
　本件特許発明１と引用発明を対比する。 
・引用発明の「コンバータモジュール２０００」は、本件特許発明１の「第１電力変換モジュール」に相当する。
・引用発明の「インバータモジュール２００１」は、コンバータモジュール２０００と鉛直方向に沿って上下に配置されるものであるから、本件特許発明１の「前記第１電力変換モジュールに対し離間した状態で並列配置される第２電力変換モジュール」に相当する。　
・引用発明の「コンバータモジュール２０００」の「直流端子Ｐ」と「直流端子Ｎ」は、モジュール上面の一辺に沿って設けられ、また、インバータモジュール２００１の直流端子Ｎ、Ｐと対向するものであるから、本件特許発明１の「前記第１電力変換モジュールの前記第２電力変換モジュールに近接した位置に並べて設けられ、互いに異極となる第１電極端子及び第２電極端子」に相当する。
・同様に、引用発明の「インバータモジュール２００１」の「直流端子Ｐ」と「直流端子Ｎ」は、本件特許発明１の「前記第２電力変換モジュールの前記第１電力変換モジュールに近接した位置に並べて設けられ、互いに異極となる第３電極端子及び第４電極端子」に相当する。
・引用発明の「直流正極側（Ｐ側）の配線バー５０００」は、「コンバータモジュールの２０００およびインバータモジュール２００１の直流端子Ｐと平滑コンデンサ３０００、３００１の一方の端子」との「が配線」を配線バーとしたものであり、コンバータモジュール２０００およびインバータモジュール２００１の直流端子Ｐ間を接続するものと認められるから、本件特許発明１の「前記第１電極端子と当該第１電極端子に対して同極となる前記第３電極端子とを接続する第１導通部材」に相当する。
・引用発明の「直流負極側（Ｎ側）の配線バー５００１」は、「コンバータモジュール２０００およびインバータモジュール２００１の直流端子Ｎと平滑コンデンサ３０００、３００１の他方の端子」との「配線」を配線バーとしたものであり、コンバータモジュール２０００およびインバータモジュール２００１の直流端子Ｎ間を接続するものと認められるから、本件特許発明１の「前記第２電極端子と当該第２電極端子に対して同極となる前記第４電極端子とを接続する第２導通部材」に相当する。
・引用発明では異極の端子同士が互いに対向するように配置されている。そして、上述したように引用発明の「配線バー５０００」及び「配線バー５００１」は、そのような配置で同極の直流端子同士を接続するものと認められ、さらに、少なくとも一部分が積層されるものであるから、コンバータモジュール２０００とインバータモジュール２００１との間で交差していることは明らかである。したがって、引用発明は、本件特許発明１の「前記第１導通部材及び前記第２導通部材は、前記第１電力変換モジュールと前記第２電力変換モジュールとの間で互いに交差する交差部をそれぞれ備え」る構成を有するものである。
・また、引用発明の「配線バー５０００と配線バー５００１がコンバータモジュール２０００とインバータモジュール２００１の間で屈曲により離間している」ことは、本件特許発明１の「前記第１導通部材及び前記第２導通部材は、それぞれの前記交差部が互いに離間するように、少なくともいずれか一方が前記第１電力変換モジュールと前記第２電力変換モジュールとの間で屈曲している」ことに相当する。
・以上のとおり、引用発明の「電力変換装置」は、本件特許発明１の「第１電力変換モジュール」、「第２電力変換モジュール」、「第１導通部材」、及び「第２導通部材」に相当する構成を備えるものであるから、本件特許発明１の「電力変換装置」に相当する。
　してみると、請求項１に係る発明と引用発明は、全ての発明特定事項において一致しており、両者の間に相違点はないから、請求項１に係る発明は、引用文献１に記載された発明である。
　この点について、特許権者は令和２年４月１７日付け意見書において、「なお、引用文献１の図７では、配線バー５０００，５００１は、互いに対向するモジュール側面間の空間から、当該空間の外部に配置された平滑コンデンサ３０００，３００１へ向かって延び、それらの近傍（即ち、上記空間の外部）で屈曲しているが、当該屈曲部はコンバータモジュール２０００とインバータモジュール２００１との間に位置していないので、上記課題を解決することができない。」（意見書第５頁第１０ー１４行）と主張している。
　しかしながら、上記「（１）　（１−１）引用文献１の記載事項」で説示したように、各配線バーは、コンデンサへの接続部分以外にも、各モジュールの上面の端子と接続するための屈曲部を有しおり、また、この屈曲部はコンバータモジュール２０００とインバータモジュール２００１との間に位置しているものと認められる。
　よって、上記主張は採用できない。　
（２−２）理由２）について（特許法第２９条第２項）
　仮に、引用文献１における図面は概略図であって、コンバータモジュール２０００とインバータモジュール２００１の間で屈曲によって離間していることまでは読み取れないとすると、引用文献１には、以下の発明（以下、「引用発明２」という。）が記載されていることになる。
「コンバータモジュール２０００、インバータモジュール２００１、及び平滑コンデンサ３０００、３００１からなる電力変換装置において、
　コンバータモジュール２０００とインバータモジュール２００１が鉛直方向に沿って上下に配置され、更に平滑コンデンサ３０００、３００１が各モジュールの横方向に配置され、
　各モジュールは略直方体状でありモジュール上面が矩形状であるため、直流端子Ｐ、Ｎはモジュール上面の一辺に沿って設けられ、また、コンバータモジュール２０００の直流端子とインバータモジュール２００１の直流端子では異極の端子同士が互いに対向するように配置され、
　コンバータモジュール２０００およびインバータモジュール２００１の直流端子Ｐと平滑コンデンサ３０００、３００１の一方の端子が配線され、また、コンバータモジュール２０００およびインバータモジュール２００１の直流端子Ｎと平滑コンデンサ３０００、３００１の他方の端子が配線され、
　コンバータモジュール２０００、インバータモジュール２００１及び平滑コンデンサ３０００、３００１間の上記配線を細長い配線バー５０００、５００１とし、直流正極側（Ｐ側）の配線バー５０００と直流負極側（Ｎ側）の配線バー５００１の少なくとも一部分が積層されており、また、配線バー５０００と配線バー５００１が離間している、
　電力変換装置。」　
　なお、引用発明２と引用発明とは、引用発明２が「配線バー５０００と配線バー５００１が離間している」のに対して、引用発明は「配線バー５０００と配線バー５００１がコンバータモジュール２０００とインバータモジュール２００１の間で屈曲により離間している」点で異なる。
　そこで、本件特許発明１と引用発明２を対比すると、以下の点で相違し、その余の点で一致する。
（相違点１） 
　前記第１導通部材及び前記第２導通部材は、それぞれの前記交差部が互いに離間するように、本件特許発明１では「少なくともいずれか一方が前記第１電力変換モジュールと前記第２電力変換モジュールとの間で屈曲している」のに対して、引用発明２ではその旨の特定がされていない点。
　上記相違点１について検討する。 
　上記引用文献２及び引用文献３に記載されるように（上記「（１−２引用文献２、３の記載事項）」を参照。）、端子間を接続する導通部材同士が接触しないように離間させるために、少なくともいずれか一方を屈曲させることは周知の技術である。
　また、屈曲箇所をいずれの箇所とするかは設計的事項に過ぎず、また、通常であれば、他の部材との接触を避けるために交差する直前において屈曲させるものと認められる。
　したがって、第１導通部材及び２導通部材の交差部を互いに離間させた引用発明２において、その離間させる具体的な構成として該周知の技術を採用して交差する直前である各モジュールの間で屈曲させ、本件特許発明１の上記相違点１の構成とすることは当業者が容易に想到し得るものである。
　この点について、特許権者は令和２年１月２１日付け意見書において、
「（オ）しかしながら、引用文献１は、コンバータモジュールとインバータモジュールとの間の細長い配線バーに関して、段落【００２１】及び図７に記載された形態以外の形態を開示していない。即ち、引用文献１には、本件特許発明の『第１導通部材及び第２導通部材が、それぞれの交差部が互いに離間するように、少なくともいずれか一方が屈曲している』構成（構成Ｂ）についての記載や示唆がない。
（カ）また、引用文献１は、コンバータモジュールとインバータモジュールとの間の間隔を小さくして電力変換装置の小型化を図る点に関して、何ら記載しておらず、『コンバータモジュールとインバータモジュールとの間の間隔を小さくした場合に、配線バー５０００，５００１の電極端子間の経路長が短くなって、それらに過度な応力が発生する恐れがある』という課題については、記載も示唆もしていない。そうすると、仮に、引用文献１のコンバータモジュールとインバータモジュールとの間の間隔を小さくすることまで想到できたとしても、上記課題についての記載や示唆がない以上、配線バー５０００、５００１の少なくともいずれか一方を、それぞれ交差部が互いに離間するように屈曲させることで、配線バー５０００，５００１に発生する応力を緩和しようとする動機づけはない。従って、コンバータモジュールとインバータモジュールとの間の間隔を小さくする場合に、配線バー５０００，５００１の少なくともいずれか一方を、それぞれの交差部が互いに離間するように屈曲させることが容易とはいえない。」、
「（ク）即ち、引用文献２に記載の技術は、モータジェネレータの形態に合わせた配列順序とすることを主たる目的として、バスバー１６１〜１６３，１７１〜１７３を屈曲させたものである。
（ケ）そうすると、引用文献１の構成に引用文献２の技術を採用することの示唆や動機付けは得られない。即ち、引用文献１の配線バー５０００，５００１は、すでにコンバータモジュール２０００及びインバータモジュール２００１の形態に合わせた配列順序になっているから、引用文献１の構成において、コンバータモジュール２０００及びインバータモジュール２００１の形態に合わせた配列順序にするために配線バー５０００，５００１を屈曲させることの示唆や動機付けは得られない。また、仮に、引用文献２のバスバー１６１〜１６３，１７１〜１７３が、それら同士が接触して短絡しないようにすることを目的として、屈曲されたものであったとしても、引用文献１の配線バー５０００，５００１の間にすでに隙間が存在しているから、引用文献１の構成において、配線バー５０００，５００１が互いに接触して短絡しないようにするためにこれらを屈曲させることの示唆や動機付けは得られない。」、　
「（サ）即ち、引用文献３の１３１ａ，１３１ｃバスバーは、屈曲してはいるものの、薄板状の１３２ｂ，１３２ｃ絶縁体が１３１ａ，１３１ｂ，１３１ｃバスバーとの間に挿入されているから、バスバー同士が接触しないようにすることを目的として、屈曲されたものではない。
（シ）仮に、引用文献３の１３１ａ，１３１ｃバスバーが、それら同士が接触して短絡しないように屈曲されたものであったとしても、引用文献１の配線バー５０００，５００１の間にはすでに隙間が存在しているから、引用文献１の構成に引用文献３の技術を採用することの示唆や動機付けは得られない。即ち、引用文献１の構成において、配線バー５０００，５００１が互いに接触して短絡しないようにするためにこれらを屈曲させることの示唆や動機付けは得られない。」、
と主張している。
　しかしながら、引用文献１（引用発明２）は配線バー５０００と５００１が離間しているものであるから、離間するための具体的な構成が必要であることは明らかである。また、引用文献１（引用発明２）においても「コンバータモジュール２０００の直流端子とインバータモジュール２００１の直流端子では異極の端子同士が互いに対向するように配置され」るものであるから、直流端子の配列順序は異なっている。
　そして、引用文献２のものは、直流端子の配列順序が異なったものである。
　さらに、引用文献３において、１３１ａ、１３１ｂ、１３１ｃバスバーは互いに交差する「バスバーの経路を重ね合わせた１３５領域Ａ」（本願の「交差部」に相当）を有している。そして、該「１３５領域Ａ」においては１３１ａ、１３１ｂ、１３１ｃバスバー同士を屈曲し離間させないと絶縁体を挿入できず短絡するものであるから、引用文献３においても、屈曲はバスバー同士が接触しないようにすることを目的としたものといえる。
　してみれば、直流端子の配列順序が異なり配線バー５０００、５００１が離間している引用文献１（引用発明２）において、配線バーが互いに接触して短絡しないようにするための具体的な手段として引用文献２及び引用文献３に記載に技術事項（屈曲させること）を採用することには動機がないとはいえない。
　よって、上記主張は採用できない。
３　取消理由通知において採用しなかった特許異議申立理由について
　異議申立人は、訂正前の請求項４について以下の特許異議の申立てを行っている。
（１）申立理由の概要
　請求項４に係る発明は、本件特許出願前に日本国内又は外国において、頒布された下記の甲第１号証乃至甲第１０号証に記載された発明又は電気通信回線を通じて公衆に利用可能となった発明に基いて、本件特許出願前にその発明の属する技術の分野における通常の知識を有する者が容易に発明をすることができたものであるから、請求項４に係る特許は、特許法第２９条第２項の規定に違反してされたものである。
甲第１号証：特開２００７−６５６５号公報（引用文献１）
甲第２号証の１：特開２０１３−７３９６６号公報
甲第２号証の２：特開２０１１−９６９１７号公報
甲第３号証：特開２００５−１９２３１１号公報（引用文献２）
甲第４号証：国際公開第２００７／０９４１６２号（引用文献３）　
甲第５号証：特開２０１３−５５７８１号公報
甲第６号証：国際公開第２００７／１０８２０７号
甲第７号証：特開２０１２−１８６９２０号公報
甲第８号証：特開平８−１２６１８２号公報
甲第９号証：富士時報　第８５巻第３号　富士電機株式会社　平成２４年５　　　　　　月１０日発行　１８８−１９３頁
甲第１０号証：特開平７−１４２６５８号公報
（２）各甲号証の記載事項
　甲第１号証、甲第３号証及び甲第４号証の記載事項に関しては、それぞれ上記「２　（１）　（１−１）引用文献１の記載事項、（１−２）引用文献２の記載事項、（１−３）引用文献３の記載事項」の記載のとおりである。
ア　甲第２号証の１の記載事項
　甲第２号証の１には、以下の事項が記載されている。
「【００２５】
　
バスバーは、先端（導電部材に接続している部分の先端）が板状であればよく、金属板を連結する導電部材は板状でなくケーブル状（ワイヤ）であってもよい
イ　甲第２号証の２の記載事項
　甲第２号証の２には、以下の事項が記載されている。
（ア）「図５
　　　　　　　　　　　　　　　　　　　　　　　　　　　　　　　」
（イ）「図６
　　　　　　　　　　　　　　　　　　　　　　　　　　　　　　　」
（ウ）「図７
　　　　　　　　　　　　　　　　　　　　　　　　　　　　　　　」
ウ　甲第５号証の記載事項
　甲第５号証には、以下の事項が記載されている。
「図４
　　　　　　　　　　　　　　　　　　　　　　　　　　　　　　　」
エ　甲第６号証の記載事項
　甲第６号証には、以下の事項が記載されている。　
「図６
　　　　　　　　　　　　　　　　　　　　　　　　　　　　　　　」
オ　甲第７号証の記載事項
　甲第７号証には、以下の事項が記載されている。
（ア）「図２
　　　　　　　　　　　　　　　　　　　　　　　　　　　　　　　　」
（イ）「図７
　　　　　　　　　　　　　　　　　　　　　　　　　　　　　　　　」
カ　甲第８号証の記載事項
　甲第８号証には、以下の事項が記載されている。
「図１
　
　　　　　　　　　　　　　　　　　　　　　　　　　　　　　　　　」
キ　甲第９号証の記載事項
　甲第９号証には、以下の事項が記載されている。
「図５
　　　　　　　　　　　　　　　　　　　　　　　　　　　　　　　　」
ク　甲第１０号証の記載事項
　甲第１０号証には、以下の事項が記載されている。
「図１
　　　　　　　　　　　　　　　　　　　　　　　　　　　　　　　　」
（３）対比・判断
　訂正前の請求項４は、請求項１を引用しない訂正後の請求項４、請求項１を引用する訂正後の請求項６となった。ここで、異議申立のあった請求項４は、請求項１を引用したものであるから、訂正後の請求項６（本件特許発明６）について判断する。
　本件特許発明６と甲第１号証に記載された発明（引用発明）と対比すると、本件特許発明６は、訂正請求により請求項１で減縮された「前記第１電力変換モジュールと前記第２電力変換モジュールとの間で」という構成を有しておらず、また、「前記第１電力モジュール及び前記第２電力変換モジュールは冷却器上に配置され、前記第１導通部材及び前記第２導通部材は、前記第１電力変換モジュールと前記第２電力変換モジュールとの間で前記冷却器に近接または接触している」という構成を有するものであるから、以下の点で相違し、その余の点で一致する。
（相違点２）
　本件特許発明６では「前記第１電力モジュール及び前記第２電力変換モジュールは冷却器上に配置され、前記第１導通部材及び前記第２導通部材は、前記第１電力変換モジュールと前記第２電力変換モジュールとの間で前記冷却器に近接または接触している」のに対して、引用発明ではその旨の特定がされていない点。
　上記相違点２について検討する。
　引用文献１（甲第１号証）の段落【００１０】には、コンバータモジュール２０００（「第１電力モジュール」）とインバータモジュール２００１（「第２電力変換モジュール」）が、冷却フィン１０００（「冷却器」）の面に設置されることは記載されている。
　しかしながら、引用文献１の図７の下図を参照すると、配線バー５０００（「第１導通部材」）及び配線バー５００１（「第２導通部材」）は、冷却フィン１０００から離れるように配置されるものであって近接または接触すものではない。
　仮に、配線バーを冷却することが周知の技術課題であり、冷却のために各配線バーのこの積層されている部分を冷却フィン側に近接または接触させたとしても、一方の配線バーは冷却フィンに対して近接または接触し冷却することができると認められるが、該一方の配線バーから離間した他方の配線バーが同様に冷却されるとはいえない。してみると、引用文献１のものにおいて、各配線バーを冷却のために冷却フィン側に近接または接触させる理由が存在しない。
　また、甲第２号証ないし甲第１０号証には、配線バーの冷却に関しては記載されていない。
　したがって、本件特許発明６は、甲第１号証に記載された発明、および、甲第２号証ないし甲第１０号証に記載された技術事項に基づいて当業者が容易に発明することができたものではない。
　この点について、異議申立人は特許異議申立書において、「・・・、冷却効果を得ることも鑑みれば、「板状導電部材」を冷却フィン（１０００）に近づけるように屈曲させることは、当業者がなし得る設計事項に過ぎない。」（特許異議申立書２７頁６−８行）と主張している。
　しかしながら、上記で検討したように、板状導電部材である配線バーを冷却フィン側に近接または接触させたとしても、一方の配線バーは冷却フィンに対して近接または接触し冷却することができると認められるが、他方の配線バーが同様に冷却されるとはいえない。よって、冷却効果を得ることを鑑みても、引用発明は「板状導電部材」を冷却フィン（１０００）に近づけるように屈曲させるものではなく、当業者がなし得る設計事項に過ぎないとはいえない。
　したがって、上記主張は採用できない。
４　独立特許要件について
　上記「第２　２　（２）」における「イ　訂正事項２について」及び「ウ　訂正事項３について」に記載したように、本件特許発明４、５、７については独立特許要件が課されるので、独立特許要件について検討する。
　上記甲第１号証ないし甲第１０号証には、請求項４、５が引用する請求項２の「前記第１導通部材は、前記第１電極端子との接続部から前記第２電極端子に対して離れる方向に延設される第１導通部材第１部分と、前記第１導通部材第１部分から前記第２電力変換モジュールに向けて延設される第１導通部材第２部分と、前記第３電極端子との接続部から前記第４電極端子に対して離れる方向に延設される第１導通部材第３部分と、  前記第１導通部材第３部分から前記第１電力変換モジュールに向けて延設される第１導通部材第４部分と、前記第１導通部材第２部分の前記第１導通部材第１部分と反対側及び、前記第１導通部材第４部分の前記第１導通部材第３部分と反対側を、互いに接続する第１導通部材第５部分と、を有し、前記第２導通部材は、前記第２電極端子との接続部から前記第１電極端子に対して離れる方向に延設される第２導通部材第１部分と、前記第２導通部材第１部分から前記第２電力変換モジュールに向けて延設される第２導通部材第２部分と、前記第４電極端子との接続部から前記第３電極端子に対して離れる方向に延設される第２導通部材第３部分と、第２導通部材第３部分から前記第１電力変換モジュールに向けて延設される第２導通部材第４部分と、前記第２導通部材第２部分の前記第２導通部材第１部分と反対側及び、前記第２導通部材第４部分の前記第２導通部材第３部分と反対側を、互いに接続する第２導通部材第５部分と、を有すること」が記載されていない。
　また、上記甲第１号証ないし甲第１０号証には、請求項７の「前記第１導通部材及び前記第２導通部材のそれぞれの前記交差部は、電流が互いに逆方向に向けて流れるように交差していること」が記載されていない。
　したがって、請求項４、５、７に係る発明は、甲第１号証に記載された発明と甲第２号証ないし甲第１０号証に記載された技術事項に基づいて当業者が容易に発明することができたものではない。
　また、他に請求項４、５、７に係る発明を拒絶すべき理由を発見しない。
第５　むすび
　以上のとおり、請求項１に係る発明は、引用文献１に記載された発明であるから、請求項１に係る特許は、特許法第２９条第１項第３号の規定に違反してなされたものである。
　また、請求項１に係る発明は、引用文献１に記載された発明、および周知の技術に基づいて、当業者が容易に発明をすることができたものであるから、請求項１に係る特許は、特許法第２９条第２項の規定に違反してなされたものである。
　したがって、請求項１に係る特許は、特許法第１１３条第２号に該当し、取り消されるべきものである。
　請求項４、５、６、７に係る特許を維持する。
　よって、結論のとおり決定する。
【異議決定日】
令和２年９月１１日（２０２０．９．１１）
【訂正の要旨】
審決（決定）の【理由】欄参照。
（５７）【特許請求の範囲】
　【請求項１】
　第１電力変換モジュールと、
　前記第１電力変換モジュールに対し離間した状態で並列配置される第２電力変換モジュールと、
　前記第１電力変換モジュールの前記第２電力変換モジュールに近接した位置に並べて設けられ、互いに異極となる第１電極端子及び第２電極端子と、
　前記第２電力変換モジュールの前記第１電力変換モジュールに近接した位置に並べて設けられ、互いに異極となる第３電極端子及び第４電極端子と、
　前記第１電極端子と当該第１電極端子に対して同極となる前記第３電極端子とを接続する第１導通部材と、
　前記第２電極端子と当該第２電極端子に対して同極となる前記第４電極端子とを接続する第２導通部材と、を有し、
　前記第１導通部材及び前記第２導通部材は、前記第１電力変換モジュールと前記第２電力変換モジュールとの間で互いに交差する交差部をそれぞれ備え、
　前記第１導通部材及び前記第２導通部材は、それぞれの前記交差部が互いに離間するように、少なくともいずれか一方が
前記第１電力変換モジュールと前記第２電力変換モジュールとの間で
　【請求項２】
　第１電力変換モジュールと、
　前記第１電力変換モジュールに対し離間した状態で並列配置される第２電力変換モジュールと、
　前記第１電力変換モジュールの前記第２電力変換モジュールに近接した位置に並べて設けられ、互いに異極となる第１電極端子及び第２電極端子と、
　前記第２電力変換モジュールの前記第１電力変換モジュールに近接した位置に並べて設けられ、互いに異極となる第３電極端子及び第４電極端子と、
　前記第１電極端子と当該第１電極端子に対して同極となる前記第３電極端子とを接続する第１導通部材と、
　前記第２電極端子と当該第２電極端子に対して同極となる前記第４電極端子とを接続する第２導通部材と、を有し、
　前記第１導通部材及び前記第２導通部材は、前記第１電力変換モジュールと前記第２電力変換モジュールとの間で互いに交差する交差部をそれぞれ備え、
　前記第２電力変換モジュールは、電極端子の配置に関し、前記第１電力変換モジュールの第１電極端子、第２電極端子の順に並べて配置される方向に沿って、第４電極端子、第３電極端子の順に並べて配置され、
　前記第１導通部材は、
　前記第１電極端子との接続部から前記第２電極端子に対して離れる方向に延設される第１導通部材第１部分と、
　前記第１導通部材第１部分から前記第２電力変換モジュールに向けて延設される第１導通部材第２部分と、
　前記第３電極端子との接続部から前記第４電極端子に対して離れる方向に延設される第１導通部材第３部分と、
　前記第１導通部材第３部分から前記第１電力変換モジュールに向けて延設される第１導通部材第４部分と、
　前記第１導通部材第２部分の前記第１導通部材第１部分と反対側及び、前記第１導通部材第４部分の前記第１導通部材第３部分と反対側を、互いに接続する第１導通部材第５部分と、を有し、
　前記第２導通部材は、
　前記第２電極端子との接続部から前記第１電極端子に対して離れる方向に延設される第２導通部材第１部分と、
　前記第２導通部材第１部分から前記第２電力変換モジュールに向けて延設される第２導通部材第２部分と、
　前記第４電極端子との接続部から前記第３電極端子に対して離れる方向に延設される第２導通部材第３部分と、
　第２導通部材第３部分から前記第１電力変換モジュールに向けて延設される第２導通部材第４部分と、
　前記第２導通部材第２部分の前記第２導通部材第１部分と反対側及び、前記第２導通部材第４部分の前記第２導通部材第３部分と反対側を、互いに接続する第２導通部材第５部分と、を有することを特徴とする電力変換装置。
　【請求項３】
　前記第１導通部材及び前記第２導通部材は、形状が互いに同一であることを特徴とする請求項２に記載の電力変換装置。
　【請求項４】
　前記第１電力変換モジュール及び前記第２電力変換モジュールは冷却器上に配置され、
　前記第１導通部材及び前記第２導通部材は、前記第１電力変換モジュールと前記第２電力変換モジュールとの間で前記冷却器に近接または接触していることを特徴とする請求項
２又は３
　【請求項５】
　前記第１導通部材及び前記第２導通部材のそれぞれの前記交差部は、電流が互いに逆方向に向けて流れるように交差していることを特徴とする請求項
２
　【請求項６】
　
第１電力変換モジュールと、
　
前記第１電力変換モジュールに対し離間した状態で並列配置される第２電力変換モジュールと、
　
前記第１電力変換モジュールの前記第２電力変換モジュールに近接した位置に並べて設けられ、互いに異極となる第１電極端子及び第２電極端子と、
　
前記第２電力変換モジュールの前記第１電力変換モジュールに近接した位置に並べて設けられ、互いに異極となる第３電極端子及び第４電極端子と、
　
前記第１電極端子と当該第１電極端子に対して同極となる前記第３電極端子とを接続する第１導通部材と、
　
前記第２電極端子と当該第２電極端子に対して同極となる前記第４電極端子とを接続する第２導通部材と、を有し、
　
前記第１導通部材及び前記第２導通部材は、前記第１電力変換モジュールと前記第２電力変換モジュールとの間で互いに交差する交差部をそれぞれ備え、
　
前記第１導通部材及び前記第２導通部材は、それぞれの前記交差部が互いに離間するように、少なくともいずれか一方が屈曲し、
　
前記第１電力変換モジュール及び前記第２電力変換モジュールは冷却器上に配置され、
　前記第１導通部材及び前記第２導通部材は、前記第１電力変換モジュールと前記第２電力変換モジュールとの間で前記冷却器に近接または接触していることを特徴とする電力変換装置。
　【請求項７】
　
第１電力変換モジュールと、
　
前記第１電力変換モジュールに対し離間した状態で並列配置される第２電力変換モジュールと、
　
前記第１電力変換モジュールの前記第２電力変換モジュールに近接した位置に並べて設けられ、互いに異極となる第１電極端子及び第２電極端子と、
　
前記第２電力変換モジュールの前記第１電力変換モジュールに近接した位置に並べて設けられ、互いに異極となる第３電極端子及び第４電極端子と、
　
前記第１電極端子と当該第１電極端子に対して同極となる前記第３電極端子とを接続する第１導通部材と、
　
前記第２電極端子と当該第２電極端子に対して同極となる前記第４電極端子とを接続する第２導通部材と、を有し、
　
前記第１導通部材及び前記第２導通部材は、前記第１電力変換モジュールと前記第２電力変換モジュールとの間で互いに交差する交差部をそれぞれ備え、
　
前記第１導通部材及び前記第２導通部材は、それぞれの前記交差部が互いに離間するように、少なくともいずれか一方が屈曲し、
　
前記第１導通部材及び前記第２導通部材のそれぞれの前記交差部は、電流が互いに逆方向に向けて流れるように交差していることを特徴とする電力変換装置。